(57)【要約】【課題】患者の医療検査を医師が依頼したり、検疫所の係員が諸検査を依頼したりするなど、チェックシート方式の依頼書を用いた依頼業務の際の手間や、該依頼の際の依頼書の内容を電子文書に反映する労力を削減することができる。【解決手段】ステップ１１４において、患者の医療検査の、チェックシート方式の依頼書に含まれる、個々の記入項目の名称、及び依頼書におけるその記入位置を定義する。ステップ１２４では、個別の患者の医療検査の依頼内容を医師が記入する際に、デジタイザ・ペンで示した座標を電子的に読み取るためのタブレット上に配置した前記依頼書への、該デジタイザ・ペンによる記入内容を電子的に読み取る。【選択図】図５
2005222382.tif 000002
【特許請求の範囲】
【請求項１】
依頼の内容を記入するためのチェックシート方式の依頼書に含まれる、個々の記入項目の名称、及び依頼書におけるその記入位置を少なくとも、電子的定義入力として受け付け、これを入力項目情報格納部に保存しておき、
前記記入の際に、デジタイザ・ペンで示した座標を電子的に読み取るためのタブレット上に配置した前記依頼書への、該デジタイザ・ペンによる記入内容を電子的に読み取ると共に、
前記入力項目情報格納部に保存された情報に基づいて、該読み取り結果を、前記記入項目のチェック入力として把握するようにしたことを特徴とする手書きチェックシート電子入力方法。
【請求項２】
請求項１において、
前記依頼書に印刷されている、該依頼書の種類を表わす依頼書認識ポイントの、該依頼書における位置の定義入力を予め受け付け、これをシート個別情報格納部に保存しておき、
前記記入の際に、タブレット上に配置した前記依頼書における前記依頼書認識ポイントの、前記デジタイザ・ペン及び前記タブレットによる位置指定入力を電子的に読み取り、
該依頼書認識ポイントのこれら定義入力及び位置指定入力を比較して、今回の依頼書配置の種類を判別するようにしたことを特徴とする手書きチェックシート電子入力方法。
【請求項３】
請求項２において、
前記依頼書配置種類判別の後、前記依頼書認識ポイントのこれら定義入力及び位置指定入力の、前記依頼書における位置を比較して、今回の依頼書配置の位置補正を行うようにしたことを特徴とする手書きチェックシート電子入力方法。
【請求項４】
請求項１において、
前記依頼書に印刷されている位置決めポイントの、該依頼書における位置の定義入力を予め受け付け、これをシート個別情報格納部に保存しておき、
前記記入の際に、タブレット上に配置した前記依頼書における前記位置決めポイントの、前記デジタイザ・ペン及び前記タブレットによる位置指定入力を電子的に読み取り、
該位置決めポイントのこれら定義入力及び位置指定入力の、前記依頼書における位置を比較して、今回の依頼書配置の位置補正を行うようにしたことを特徴とする手書きチェックシート電子入力方法。
【請求項５】
請求項１乃至４のいずれかにおいて、
前記タブレット上での前記デジタイザ・ペンによる記入作業の、電子的な読み取り結果の少なくとも一部を、音響出力装置によって出力するようにしたことを特徴とする手書きチェックシート電子入力方法。
【請求項６】
請求項１乃至５のいずれかにおいて、
前記把握の記入内容を、電子カルテ情報と関連付けて保存するようにしたことを特徴とする手書きチェックシート電子入力方法。
【請求項７】
請求項１乃至６のいずれかにおいて、
前記電子的定義入力にあたって、前記依頼書の２次元画像情報を電子的に取得し、
該画像に対してＯＣＲ処理を行うことによって、前記記入項目名称を獲得するようにしたことを特徴とする手書きチェックシート電子入力方法。
【請求項８】
請求項１乃至７のいずれかにおいて、
前記記入項目、及びその記入位置座標の、電子的になされる入力、又この入力項目情報格納部への保存を、医療検査の依頼内容記入の運用で、必要範囲のみで行うようにしたことを特徴とする手書きチェックシート電子入力方法。
【請求項９】
請求項１乃至８のいずれかにおいて、
前記記入項目、及びその記入位置座標の入力の際に、該記入項目の項目チェック発声音声の音響入力を予め受け付け、これを入力項目情報格納部に保存しておき、
前記記入の際に、該記入に該当する前記項目チェック発声音声を、音響出力するようにしたことを特徴とする手書きチェックシート電子入力方法。
【請求項１０】
請求項１乃至９のいずれかにおいて、
前記依頼書を前記タブレット上に印刷し、
前記デジタイザ・ペンを用いる前記記入による前記チェック入力の結果を、記入済の前記依頼書として印刷出力するようにしたことを特徴する手書きチェックシート電子入力方法。
【請求項１１】
依頼の内容を記入するためのチェックシート方式の依頼書に含まれる、個々の記入項目の名称、及び依頼書におけるその記入位置を少なくとも、電子的定義入力として受け付ける項目内容登録処理部と、
これを該項目内容登録処理部から受けて、保存する入力項目情報格納部と、
前記記入の際に、デジタイザ・ペンで示した座標を電子的に読み取るためのタブレット上に配置した前記依頼書への、該デジタイザ・ペンによる記入内容を電子的に読み取ると共に、前記入力項目情報格納部に保存された情報に基づいて、該読み取り結果を、前記記入項目のチェック入力として把握する項目毎入力処理部と、を備えるようにしたことを特徴とする手書きチェックシート電子入力装置。
【発明の詳細な説明】
【技術分野】
【０００１】
本発明は、患者の医療検査を医師が依頼したり、検疫所の係員が諸検査を依頼したりするなど、チェックシート方式の依頼書を用いた依頼業務の際の手間や、該依頼の際の依頼書の内容を電子文書に反映する労力を削減することができる手書きチェックシート電子入力方法及び装置に関する。
【背景技術】
【０００２】
院内の検査部署や外部の検査業者などに対して患者の医療検査を依頼する際には、医師が所定の依頼書を作成する。該依頼書は、依頼内容を記入するためのものであり、検査項目の名称などが印刷されており、依頼する検査項目に対して「レ」印（いわゆるチェックマーク）を筆記記入するようになっていて、記入の手間が省けるようになっている。又、該依頼書は、複数ページからなるカーボン複写式の印刷物であり、医師はボールペンなどによって記入することで、複数毎の複写を得ることができる。この内、あるものは医師やカルテの控えとし、あるものは検査依頼の指示に用いることになる。
【０００３】
なお、以下において、記入項目の名称が印刷などで提示されていて、「レ」印（チェックマーク）を筆記記入していく用紙を、チェックシート方式とする。後述する実施例の図６のように、該チェックシート方式の用紙には、氏名や生年月日又住所など、文字記入する部分が含まれていてもよい。
【発明の開示】
【発明が解決しようとする課題】
【０００４】
ここで、電子カルテの導入など、医療機関において、診察に関しても電子化が浸透している。従来は、前述のような医療検査の依頼書は、一旦手書きにて作成後、手入力で電子文書として入力することになる。この入力の際には、手間がかかり、入力ミスも発生する可能性があるので、入力内容のチェックも手間や時間を要することになる。
【０００５】
なお、このような課題は、患者の医療検査を依頼するためのチェックシート方式の依頼書に限定されるものではない。例えば、検疫所の諸検査依頼のチェックシート方式の依頼書など、その他、何らかの依頼内容を記入するためのチェックシート方式の依頼書についても同様である。
【０００６】
本発明は、前記従来の問題点を解決するべくなされたもので、患者の医療検査を医師が依頼したり、検疫所の係員が諸検査を依頼したりするなど、チェックシート方式の依頼書を用いた依頼業務の際の手間や、該依頼の際の依頼書の内容を電子文書に反映する労力を削減することができる手書きチェックシート電子入力方法及び装置を提供することを目的とする。
【課題を解決するための手段】
【０００７】
本願の第１発明は、依頼の内容を記入するためのチェックシート方式の依頼書に含まれる、個々の記入項目の名称、及び依頼書におけるその記入位置を少なくとも、電子的定義入力として受け付け、これを入力項目情報格納部に保存しておき、前記記入の際に、デジタイザ・ペンで示した座標を電子的に読み取るためのタブレット上に配置した前記依頼書への、該デジタイザ・ペンによる記入内容を電子的に読み取ると共に、前記入力項目情報格納部に保存された情報に基づいて、該読み取り結果を、前記記入項目のチェック入力として把握するようにしたことにより、前記課題を解決したものである。
【０００８】
又、前記手書きチェックシート電子入力方法において、前記依頼書に印刷されている、該依頼書の種類を表わす依頼書認識ポイントの、該依頼書における位置の定義入力を予め受け付け、これをシート個別情報格納部に保存しておき、前記記入の際に、タブレット上に配置した前記依頼書における前記依頼書認識ポイントの、前記デジタイザ・ペン及び前記タブレットによる位置指定入力を電子的に読み取り、該依頼書認識ポイントのこれら定義入力及び位置指定入力を比較して、今回の依頼書配置の種類を判別するようにしたことにより、間違った前記依頼書として入力してしまうことを防止することができる。
【０００９】
更に、前記手書きチェックシート電子入力方法において、前記依頼書配置種類判別の後、前記依頼書認識ポイントのこれら定義入力及び位置指定入力の、前記依頼書における位置を比較して、今回の依頼書配置の位置補正を行うようにしたことにより、上述のように間違った依頼書とした入力防止を図るための前記依頼書認識ポイントを流用して、前記依頼書を前記タブレット上に配置する際の、位置ずれを補正することができる。
【００１０】
又、前記手書きチェックシート電子入力方法において、前記依頼書に印刷されている位置決めポイントの、該依頼書における位置の定義入力を予め受け付け、これをシート個別情報格納部に保存しておき、前記記入の際に、タブレット上に配置した前記依頼書における前記位置決めポイントの、前記デジタイザ・ペン及び前記タブレットによる位置指定入力を電子的に読み取り、該位置決めポイントのこれら定義入力及び位置指定入力の、前記依頼書における位置を比較して、今回の依頼書配置の位置補正を行うようにしたことにより、前記依頼書を前記タブレット上に配置する際の、位置ずれを補正することができる。
【００１１】
更に、前記手書きチェックシート電子入力方法において、前記タブレット上での前記デジタイザ・ペンによる記入作業の、電子的な読み取り結果の少なくとも一部を、音響出力装置によって出力するようにしたことにより、記入作業における誤りを更に抑えることができるようにしたものである。
【００１２】
又、前記手書きチェックシート電子入力方法において、前記把握の記入内容を、電子カルテ情報と関連付けて保存するようにしたことにより、本願発明による情報入力を診察にも有効活用できるようにしたものである。
【００１３】
又、前記手書きチェックシート電子入力方法において、前記電子的定義入力にあたって、前記依頼書の２次元画像情報を電子的に取得し、該画像に対してＯＣＲ処理を行うことによって、前記記入項目名称を獲得するようにしたことにより、前記依頼書の登録作業の手間を省けるようにしたものである。
【００１４】
又、前記手書きチェックシート電子入力方法において、前記記入項目、及びその記入位置座標の、電子的になされる入力、又この入力項目情報格納部への保存を、医療検査の依頼内容記入の運用で、必要範囲のみで行うようにしたことにより、不要な作業を省けるようにしたものである。
【００１５】
又、前記手書きチェックシート電子入力方法において、前記記入項目、及びその記入位置座標の入力の際に、該記入項目の項目チェック発声音声の音響入力を予め受け付け、これを入力項目情報格納部に保存しておき、前記記入の際に、該記入に該当する前記項目チェック発声音声を、音響出力するようにしたことにより、記入作業における誤りを更に抑えることができるようにしたものである。
【００１６】
更に、前記手書きチェックシート電子入力方法において、前記依頼書を前記タブレット上に印刷し、前記デジタイザ・ペンを用いる前記記入による前記チェック入力の結果を、記入済の前記依頼書として印刷出力するようにしたことにより、前記依頼書を前記タブレット上に配置する手間を省くと共に、該配置の際の位置ずれの問題を解消したものである。
【００１７】
次に、本願発明の第２発明の手書きチェックシート電子入力装置は、依頼の内容を記入するためのチェックシート方式の依頼書に含まれる、個々の記入項目の名称、及び依頼書におけるその記入位置を少なくとも、電子的定義入力として受け付ける項目内容登録処理部と、これを該項目内容登録処理部から受けて、保存する入力項目情報格納部と、前記記入の際に、デジタイザ・ペンで示した座標を電子的に読み取るためのタブレット上に配置した前記依頼書への、該デジタイザ・ペンによる記入内容を電子的に読み取ると共に、前記入力項目情報格納部に保存された情報に基づいて、該読み取り結果を、前記記入項目のチェック入力として把握する項目毎入力処理部と、を備えるようにしたことにより、前記課題を解決したものである。
【００１８】
以下、本発明の作用について、簡単に説明する。
【００１９】
本発明は、患者の医療検査を依頼するために医師が該依頼の内容を記入したり、検疫所の係員が諸検査の依頼するために該依頼の内容を記入したりするなど、依頼の内容を記入するための、様々なチェックシート方式の依頼書を対象にしたものである。本発明では、このようなチェックシート方式の依頼書について限定されるものではない。本発明のチェックシート方式の依頼書は、何らかの依頼内容を記入するためのものであればよく、そのようなものであれば本発明を同様に適用することができる。
【００２０】
本発明は、まず、チェックシート方式の依頼書の登録を行う。即ち、このようなチェックシート方式の依頼書に含まれる、個々の記入項目の名称、及び依頼書におけるその記入位置を少なくとも、電子的定義入力として受け付け、これを入力項目情報格納部に保存しておく。該登録に関しては、チェックシート方式の依頼書を利用する者自身でも、比較的簡単に新規登録や修正が容易にできるようになっている。例えば、医師自身や、検疫所の係員自身でも、比較的簡単に新規登録や修正が容易にできるようになっている。
【００２１】
又、本発明のチェックシート方式の依頼書に対して、実際に記入して用いる際に、デジタイザ・ペンで示した座標を電子的に読み取るためのタブレット上に配置した前記依頼書への、該デジタイザ・ペンによる記入内容を電子的に読み取る。これと共に、前記入力項目情報格納部に保存された情報に基づいて、該読み取り結果を、前記記入項目のチェック入力として把握するようにしている。
【００２２】
以上のように本発明によれば、患者の医療検査を医師が依頼したり、検疫所の係員が諸検査を依頼したりするなど、チェックシート方式の依頼書を用いた依頼業務の際の手間や、該依頼の際の依頼書の内容を電子文書に反映する労力を削減することができる。
【発明の効果】
【００２３】
本発明の手書きチェックシート電子入力方法及び装置によれば、患者の医療検査を医師が依頼したり、検疫所の係員が諸検査を依頼したりするなど、チェックシート方式の依頼書を用いた依頼業務の際の手間や、該依頼の際の依頼書の内容を電子文書に反映する労力を削減することができる手書きチェックシート電子入力方法及び装置を提供することができる。
【発明を実施するための最良の形態】
【００２４】
主として自ら医師が、チェックシート方式の依頼書に含まれる、個々の記入項目の名称、及び依頼書におけるその記入位置を少なくとも、電子的な定義入力として行って、これを入力項目情報格納部に保存しておき、この定義の後には、個別の患者の医療検査の依頼内容を医師が記入する際に、デジタイザ・ペンで示した座標を電子的に読み取るためのタブレット上に配置した前記依頼書への、該デジタイザ・ペンによる記入内容を電子的に読み取ると共に、前記入力項目情報格納部に保存された情報に基づいて、該読み取り結果を、前記記入項目のチェック入力として把握する。
【実施例１】
【００２５】
患者の医療検査の内容を記入するための依頼書は、病院などの医療機関によって、又医療検査を請け負う業者によってなど、種々異なるものである。本実施例では、予め、依頼書に関するシート個別情報や入力項目情報を登録しておく。本実施例では、医師自身でも、比較的簡単にこの新規登録や修正が容易にできるように配慮されており、運用上原則的には、医師自身がこのような登録を行うようになっている。
【００２６】
又、このような登録の後、個別の患者の医療検査の依頼内容を記入しながら、該依頼内容の入力をすることも、医師が比較的容易に行えるようになっている。
【００２７】
又、本実施例において、本発明を適用する個々のクライアント型入力装置は、電子カルテ・システムが構築されている。又、本発明を適用することで、電子化文書として入力される医療検査の依頼内容は、該電子カルテ・システムに取り込むようにしている。
【００２８】
なお、前述のとおり本発明は、患者の医療検査を依頼するためのチェックシート方式の依頼書に限定されるものではない。この点は、本実施例についても同様であり、検疫所の諸検査依頼のチェックシート方式の依頼書など、その他、何らかの依頼内容を記入するためのチェックシート方式の依頼書についても、同様に適用することができる。例えば、チェックシート方式の依頼書の、新規登録や修正も、以下の説明において医師自身が行えると説明されていることは、検疫所の係員などの依頼書の利用者自身などが、比較的簡単にすることができるようにすることができる。
【００２９】
以下、図を用いて本発明の実施例を詳細に説明する。
【００３０】
図１は、本発明が適用された実施例の手書きチェックシート電子入力方法及び装置に関する諸装置の構成を示すブロック図である。
【００３１】
図示されるように、受付センタ・サーバ装置１０に加えて、関連業務サーバ装置１２、インターネット接続サーバ装置１７は、ネットワーク１にて接続されている。又、クライアント型入力装置５も、公衆電話回線２やインターネット接続サーバ装置１７や、ルータ装置１８やＬＡＮ（Local  Area  Network）３を経由するなどして、あるいは場合によっては直接、ネットワーク１に接続されている。ルータ装置１８は、ＬＡＮ３をネットワーク１に接続する機能を提供している。ＬＡＮ３には、クライアント型入力装置５やルータ装置１８に加えて、ローカル・サーバ装置１１も接続されている。
【００３２】
そうして、本実施例では、ネットワーク１などを介して、クライアント型入力装置５が、受付センタ・サーバ装置１０に接続される。該接続によって、医療検査の依頼内容を含めた、上述のような電子化文書が受付センタ・サーバ装置１０に送付可能になっている。更には、医療検査の依頼を受ける検査部署や業者側に配置されている関連業務サーバ装置１２にも、このような医療検査の依頼内容は送付可能になっている。
【００３３】
又、ＬＡＮ３を介して、クライアント型入力装置５がローカル・サーバ装置１１に接続され、該接続によって、医療検査の依頼内容を含めた、上述のような電子化文書がローカル・サーバ装置１１に送付可能になっている。
【００３４】
本実施例においては、以上のようなネットワーク構成によって、クライアント型入力装置５の電子カルテ・システムから、ＬＡＮ３を介してローカル・サーバ装置１１へと、又ネットワーク１を介して受付センタ・サーバ装置１０へと、医療検査の依頼内容を含めた、上述のような電子化文書が送られるようになっている。又、該受付センタ・サーバ装置１０に送られた医療検査の依頼内容は、オンラインにて、該依頼を受けて医療検査を行う部署や業者に配置された関連業務サーバ装置１２にも送付することができる。該送付によれば、ペーパーレスで、医療検査依頼、又その内容の伝達を速やかに行うことができる。
【００３５】
なお、ネットワーク１やＬＡＮ３は、特に限定されるものではない。ネットワーク１は、インターネットやＷＡＮ（Wide  Area  Network）やＶＡＮ（Value  Added  Network）、又ＬＡＮ、更には無線式のネットワークであってもよい。又、ＬＡＮ３も、ごく一般的なＬＡＮに限定されるものではなく、例えば無線ＬＡＮや、ＷＡＮであってもよい。更には、これらネットワーク１やＬＡＮ３は、ネットワーク１や他の通信網を適宜複合的に利用するものでもよい。電話やデータ通信の公衆回線網や専用回線網、あるいは携帯電話などの回線網を用いてもよい。
【００３６】
図２は、本実施例のクライアント型入力装置５のハードウェア構成を示すブロック図である。
【００３７】
クライアント型入力装置５は、前述のように一般的なＰＣを用いることができ、例えば、この図２に示すようなハードウェア構成のものを用いることができる。なお、この図において、ハードウェア構成は、説明の関係上一部抽象化されている。
【００３８】
この図において、クライアント型入力装置５は、ＣＰＵ（Central  Processing  Unit）３１０と、ＲＡＭ（Random  Access  Memory）３１１と、ＲＯＭ（Read  Only  Memory）３１２と、ＬＡＮ−Ｉ／Ｆ（Inter  Face）３１３と、ＭＯＤＥＭ（modulator-demodulator）３１４と、音響出力装置３１５と、音響入力装置３１６と、種々のＩ／Ｆ３２０〜３２２とを有している。これらは、バス３０１によって相互接続されている。
【００３９】
又、バス３０１に対して、Ｉ／Ｆ３２０を介して、画面表示装置３３０が接続されている。又、バス３０３によって相互接続されている、キーボード３３１と、マウス３３２と、プリンタ装置３３３と、スキャナ装置３３４と、タブレット入力装置３３５とは、バス３０１に対して、Ｉ／Ｆ３２１を介して接続されている。
【００４０】
更に、バス３０１に対して、Ｉ／Ｆ３２２を介して、ＨＤＤ（Hard  Disc  Drive）装置３４０と、ＣＤ（Compact  Disc）装置３４１と、ＦＤＤ（Floppy（登録商標）  Disc  Drive）装置３４２とが接続されている。これらはバス３０２によって相互接続されている。
【００４１】
以上のようなハードウェア構成において、ＯＳや、本実施例に係るアプリケーション・プログラムは、ＨＤＤ装置３４０に格納されていて、実行時には、ＲＡＭ３１１に読み出されてＣＰＵ３１０によって実行される。ＬＡＮ−Ｉ／Ｆ３１３は、ＬＡＮ３に対する接続などに用いられる。なお、ＣＰＵ３１０で実行されるアプリケーション・プログラムには、ネットワーク１経由やＬＡＮ３経由で取得される、ＪＡＶＡ（登録商標)のアプレットも含まれる。
【００４２】
又、ＯＳやアプリケーション・プログラムの実行に際して、オペレータは、画面表示装置３３０に表示される情報を参照しつつ、キーボード３３１によって文字入力や諸操作を行ったり、マウス３３２によって座標入力や諸操作を行ったりする。
【００４３】
又、スキャナ装置３３４は、後述するように紙形式の依頼書などのチェックシートを２次元画像情報として読み込むためのものである。
【００４４】
タブレット入力装置３３５は、紙形式のチェックシート方式の依頼書における、チェック書込みの入力を読み込むためのものである。該タブレット入力装置３３５は、通常の紙面上の筆記が可能なボールペンのペン先を有するデジタイザ・ペンで示した、タブレット上の座標を電子的に読み取るものである。
【００４５】
本実施例では、ペン先のボールペンで、タブレット上に配置した医療検査の依頼書に、医師が個別の患者の医療検査の依頼内容を、いわゆるチェック印の記入などによって記入する。そうして、該記入の際に、該チェック印の位置の座標をタブレット入力装置３３５によって読み取ることになる。なお、該読み取りの際に、デジタイザ・ペンのペン先のボールペンで、タブレット上に配置した依頼書には書き込みがなされるので、該依頼書は、紙形式の依頼書として、従来のように利用することができる。
【００４６】
なお、タブレット入力装置３３５上に依頼書を印刷するようにしてもよい。この場合は、個別の患者の医療検査の依頼内容の記入の際に、紙形式の依頼用紙をタブレット入力装置３３５に配置する必要がなくなり、従って、後述するステップ１２２で行う、該配置の位置補正も不要になる。又、このようにタブレット入力装置３３５上に依頼書を印刷した場合、紙形式の依頼書が必要になった際には、該当依頼書の入力結果を印刷出力して、これを用いるようにすればよい。
【００４７】
なお、ＣＤ装置３４１やＦＤＤ装置３４２は、オフラインでの情報交換に用いられる。
【００４８】
なお、音響出力装置３１５は、ＯＳやアプリケーション・プログラムなどから、スピーカに対して警告音を発生させる。更に、該音響出力装置３１５は、肉声言語発音というような、音声合成の際、スピーカに対して言語発音を発生させることもできるようになっている。又、音響入力装置３１６は、登録者の肉声音声をデジタル録音するための、マイクや、該マイク入力のインタフェイスなどによって構成されている。
【００４９】
図３は、本実施例の定義登録部３０の構成を示すブロック図である。又、図４は、チェックシート入力部７０の構成を示すブロック図である。
【００５０】
定義登録部３０は、依頼書を登録するためのものであり、依頼書に関するシート個別情報や入力項目情報を登録するためのものである。又、チェックシート入力部７０は、個別の患者の医療検査の依頼内容を記入しながら、該依頼内容の入力をするためのものである。
【００５１】
これら定義登録部３０及びチェックシート入力部７０は、クライアント型入力装置５というハードウェアにおいて実行されるアプリケーションによって実現される。クライアント型入力装置５においては、そのアプリケーションをインストールすることで、これら定義登録部３０及びチェックシート入力部７０を共に、あるいは一方、搭載することができる。
【００５２】
まず、図３に示すように、定義登録部３０は、スキャナ装置３３４と、シート情報保存部３４と、ＯＣＲ（Optical  Character  Reader）処理部３６と、シート登録入力処理部４０と、項目内容登録処理部４２と、音声発声処理部４４と、音響出力装置３１５と、音響入力装置３１６とを有している。又、図４に示すように、チェックシート入力部７０は、シート情報保存部７２と、シート配置設定処理部７４と、項目毎入力処理部７６と、音声発生処理部７８と、項目入力情報保存部８０と、入力データ関連処理部８２と、音響出力装置３１５とを有している。
【００５３】
図５は、本実施例における処理を示すフローチャートである。
【００５４】
このフローチャートにおいて、ステップ１１２〜１１４は、定義登録部３０において処理される。ステップ１２２〜１２６は、チェックシート入力部７０において処理される。
【００５５】
定義登録部３０において、まずステップ１１２では、シート登録入力処理部４０の処理によって、例えば図６のような、印刷された紙形式の依頼書の全体に関する登録を行う。
【００５６】
具体的には、シート登録入力処理部４０の処理によって画面表示装置３３０に画面表示しながら又キーボード３３１からキー入力を受付ながら、まずスキャナ装置３３４によって紙形式の依頼書を２次元画像情報として読み込む。又、該シート登録入力処理部４０は、依頼書名など該読込みの依頼書に関する管理情報の入力を受け付けながら、該管理情報を付与して該２次元画像情報をシート情報保存部３４に保存する。
【００５７】
更に、該シート登録入力処理部４０では、依頼書の位置決めポイント位置の定義入力、依頼書の種類を表わす依頼書認識ポイント位置の定義入力を受け付ける。
【００５８】
例えば図８において、本来実線枠で示すような外形の依頼書のチェックシートを、一点鎖線のように認識してしまうと、当然ながら、利用者がチェックして入力する項目を誤認識してしまう。例えば図７において、符号Ａのように「Ａ／Ｇ」のチェック印が、符号Ｂのチェック印のように、「アルブミン」に誤認識されてしまう。このため、図９のポイント５０Ａ〜５０Ｉ、５１、５２のような、位置決めポイント位置の定義入力を行っておく。位置決めポイントは、少なくとも１つ、可能なら２つ程度要する。
【００５９】
なお、図７は、図６における一点鎖線部分の拡大図である。この図においては、本実施例における依頼書のチェック印の記入例が示される。
【００６０】
又、依頼書は、医療検査の依頼内容を示すものでも、検査内容によってや、医療検査を請け負う業者によってなど様々である。従って、間違った依頼書として扱って処理を行うと、入力項目の依頼書上での位置を正しく認識できず、従って、利用者がチェックして入力する項目を誤認識してしまう。このため、図９のポイント５０Ａ〜５０Ｉ、５１、５２のような、依頼書認識ポイント位置の定義入力を行っておく。
【００６１】
例えば、これらポイント５０Ａ〜５０Ｉ、５１、５２それぞれに、医療検査を請け負う各業者の依頼書を割り当てるようにしてもよい。あるいは、それぞれに、異なる検査内容に応じた異なる依頼書を割り当てるようにしてもよい。
【００６２】
医師が、個別の患者の医療検査の依頼内容記入及び入力をする際に、該依頼書認識ポイントは、依頼書の種類を認識確認するために用いられる（依頼書書類認識処理）。依頼書認識ポイントは、少なくとも１つ要する。又、上述の位置決めポイントとして用いるものと、依頼書認識ポイントとして用いるものとで、図９のポイント５０Ａ〜５０Ｉ、５１、５２のようなポイントを共用するようにしてもよい。
【００６３】
つまり、例えば、等間隔のポイント５０Ａ〜５０Ｉそれぞれに、依頼書の種類を割り当てたとする。そして、これらポイント５０Ａ〜５０Ｉの配置間隔を、依頼書をスキャナ装置３３４やタブレット入力装置３３５において配置する精度以上にすれば、依頼書認識ポイントとしてのポイント５０Ａ〜５０Ｉの位置認識と併せて、位置決めポイントとしての位置補正も行うことが可能になる。
【００６４】
次にステップ１１４では、依頼書に含まれる項目内容に関する登録処理を行う。例えば、図６のような検査依頼書であれば、「総蛋白（ＴＰ）」、「アルブミン」、「Ａ／Ｇ」などの検査項目が該登録処理の対象になる項目内容になる。該検査依頼書において、これらそれぞれの項目内容の左にある「□」が、医師が個別の患者の医療検査の依頼内容を記入する際の、チェック印の記入箇所になる。例えば、図７の符号Ａのようにチェック印を記入するための箇所である。又、該登録処理においては、これら項目内容毎に、その項目名称を入力すると共に、それぞれの上記チェック印記入箇所の位置を登録することになる。そして、該項目名称の入力や位置登録の受け付けを含めた、このような項目内容の登録処理は、項目内容登録処理部４２によって行うことになる。
【００６５】
本実施例では、該登録処理に際して、ＯＣＲ処理部３６によって、まず、対象になる依頼書に対してＯＣＲ処理を施して、スキャナ装置３３４によって読み込まれシート情報保存部３４に保存されている、２次元画像情報における「総蛋白（ＴＰ）」、「アルブミン」、「Ａ／Ｇ」などの検査項目の名称、又チェック印記入箇所を示す「□」印を、依頼書上でのレイアウト情報を生成しながら、文字情報に変換する。そうして、シート登録入力処理部４０では、レイアウト情報を有する該文字情報を活用しながら、上述のような項目名称の入力や位置登録の受け付けを行い、項目内容の登録処理を行う。又、このような項目内容の登録処理に際しては、音声発声処理部４４によって、音響出力装置３１５を用いながら、検査項目の名称などを音声合成で発声させることで、該登録を行う者に対して、登録内容を随時確認させるようにしている。
【００６６】
以上に説明したステップ１１２〜１１４によって、依頼書を登録することができ、依頼書に関するシート個別情報や入力項目情報を登録することができる。この後は、チェックシート入力部７０において、図５のステップ１２２〜１２６を行うことで、医師が、個別の患者の医療検査の依頼内容を記入しながら、該依頼内容の入力をすることになる。
【００６７】
まず、ステップ１２２の前に、個別の患者の医療検査の依頼内容を記入するにあたって、医師は記入用の依頼書を、タブレット入力装置３３５上に配置することになる。そして、該チェックシート入力部７０において、ステップ１２２では、該配置の依頼書に関して、依頼書認識ポイントの入力をタブレット入力装置３３５で受け、上記配置の依頼書の種類を判別するという、依頼書書類認識処理を行う。又該ステップ１２２では、図８を用いて前述したような該配置の位置補正を行うという、シート配置設定処理を行う。
【００６８】
次に、ステップ１２４では、タブレット入力装置３３５上に配置した依頼書に記入するような形態で、「総蛋白（ＴＰ）」、「アルブミン」、「Ａ／Ｇ」などの検査項目毎に、該当のチェック印記入箇所の「□」印に、デジタイザ・ペンのペン先のボールペンでチェック印を筆記していく。又、該筆記は、タブレット入力装置３３５のタブレット上における座標入力になり、項目毎入力処理部７６によって、該座標入力が受け付けられ、又検査項目毎の入力として受け付けられる。そして、該検査項目の入力結果は、依頼書単位で、項目毎入力処理部７６により項目入力情報保存部８０に書き込まれることになる。
【００６９】
又、このような項目内容の入力処理に際しては、音声発生処理部７８によって、音響出力装置３１５を用いながら、検査項目の名称などを音声合成で発声させることで、該入力を行う者に対して、入力内容を随時確認させるようにしている。なお、このような音声発声は、前述のステップ１１４において登録する項目に対して、登録者が自身の肉声をデジタル録音して付与したものを再生するものであってもよい。
【００７０】
以上のようにして、該当の患者の依頼書の入力が完了すると、ステップ１２６では、入力データ関連処理部８２による入力データ関連処理を行う。該入力データ関連処理として、本実施例では、完了した依頼書の入力内容に基づいて、該当する患者のカルテ情報を更新する。又、該入力内容を、ＬＡＮ３を経由してローカル・サーバ装置１１に送付したり、ルータ装置１８やネットワーク１を経由して受付センタ・サーバ装置１０に送付したり、更には関連業務サーバ装置１２に送付したりすることも可能である。これによって、オンラインにて、医療検査の依頼を受ける部署や業者に、該依頼内容を即座に伝達することも可能になる。
【００７１】
以上に説明したように、本実施例によれば本発明を効果的に適用することができる。依頼書に関する登録も簡単なものであり、医師自身が行うことも可能である。又、このような登録の後、個別の患者の医療検査の依頼内容を記入しながら、該依頼内容の入力をすることも、医師が比較的容易に行えるようになっている。例えば、患者の診察時にも、診察に対する注意力を妨げることなく行えるようになっている。更には、該依頼内容の入力に、誤りが生じないように工夫がなされているという面でも、チェック確認など、医師の労力や注意力を要しないようになっている。又、改善が必要であれば、上記のように新規登録や修正が容易になっているので、医師が適宜自身で対処することも可能になっている。
【産業上の利用可能性】
【００７２】
以上説明したとおり、本発明によれば、患者の医療検査を医師が依頼したり、検疫所の係員が諸検査を依頼したりするなど、チェックシート方式の依頼書を用いた依頼業務の際の手間や、該依頼の際の依頼書の内容を電子文書に反映する労力を削減することができる。
【図面の簡単な説明】
【００７３】
【図１】本発明が適用された実施例のデータ入力方法、データ入力支援情報入力装置、及びデータ入力装置に関する諸装置の構成を示すブロック図
【図２】上記実施例に用いられるクライアント型入力装置のハードウェア構成を示すブロック図
【図３】前記実施例に用いられる定義登録部の構成を示すブロック図
【図４】前記実施例に用いられるチェックシート入力部の構成を示すブロック図
【図５】前記実施例における処理を示すフローチャート
【図６】前記実施例が対象にする印刷された紙形式の依頼書の全体を示す線図
【図７】上記の紙形式の依頼書のチェック印記入を示す線図
【図８】前記実施例における依頼書の配置位置決めを示す線図
【図９】前記実施例の依頼書における依頼書認識ポイント及び位置決めポイントを示す線図
【符号の説明】
【００７４】
１…ネットワーク
２…公衆電話回線
３…ＬＡＮ
５…クライアント型入力装置
１０…受付センタ・サーバ装置
１１…ローカル・サーバ装置
１２…関連業務サーバ装置
１７…インターネット接続サーバ装置
１８…ルータ装置
３０…定義登録部
３４…シート情報保存部
３６…ＯＣＲ処理部
４０…シート登録入力処理部
４２…項目内容登録処理部
４４…音声発声処理部
７０…チェックシート入力部
７２…シート情報保存部
７４…シート配置設定処理部
７６…項目毎入力処理部
７８…音声発生処理部
８０…項目入力情報保存部
８２…入力データ関連処理部
３０１〜３０３…バス
３１０…ＣＰＵ
３１１…ＲＡＭ
３１２…ＲＯＭ
３１３…ＬＡＮ−Ｉ／Ｆ
３１４…ＭＯＤＥＭ
３１５…音響出力装置
３１６…音響入力装置
３２０〜３２２…Ｉ／Ｆ
３３０…画面表示装置
３３１…キーボード
３３２…マウス
３３３…プリンタ装置
３３４…スキャナ装置
３３５…タブレット入力装置
３４０…ＨＤＤ装置
３４１…ＣＤ装置
３４２…ＦＤＤ装置
【図１】
2005222382.tif 000003
【図２】
2005222382.tif 000004
【図３】
2005222382.tif 000005
【図４】
2005222382.tif 000006
【図５】
2005222382.tif 000007
【図６】
2005222382.tif 000008
【図７】
2005222382.tif 000009
【図８】
2005222382.tif 000010
【図９】
2005222382.tif 000011